(57)【要約】【課題】  大きさの異なる上着，ジャケット、あるいは着物等を良好な肩幅に調整して掛止することのできる強度の大なるハンガーを提供する。【解決手段】  ハンガー１の左右の肩部４，５には、それぞれ軸方向に挿入穴が形成され、この挿入穴内に挿着されるスライドバー６には、係止突起６ａが突出されているとともに、挿入穴内には、スライドバー６が挿入穴内で軸方向へ移動可能に係止突起６ａが通るガイド溝と、このガイド溝と連通して軸方向に所定間隔で形成された複数の係合凹部１１，１１，１１が設けられ、スライドバー６を回動することで、この係合凹部１１，１１に係止突起６ａが係脱されてスライドバー６が固定されるように構成する。【選択図】  図１
2006081695.tif 000002
【特許請求の範囲】
【請求項１】
ハンガーの左右の肩部にはそれぞれ軸方向に挿入穴が形成され、該挿入穴内に挿着されるスライドバーには係止突起が突出されているとともに、前記挿入穴内には、前記スライドバーが挿入穴内で軸方向へ移動可能に前記係止突起が通るガイド溝と、該ガイド溝と連通して軸方向に所定間隔で形成された複数の係合凹部が設けられ、前記スライドバーを回動することで前記係合凹部に前記係止突起が係脱されるように構成したことを特徴とするハンガー。
【請求項２】
ハンガーの左右の肩部にはそれぞれ軸方向に挿入穴が形成され、該挿入穴内に挿着されるスライドバーには、軸方向のガイド溝と、該ガイド溝と連通して軸方向に所定間隔に設けられた複数の係合凹部が凹設されているとともに、前記挿入穴内には、前記ガイド溝に遊嵌され前記スライドバーを回動することで前記係合凹部に係脱される係止突起が形成されていることを特徴とするハンガー。
【発明の詳細な説明】
【技術分野】
【０００１】
本発明は、上着，ジャケット、あるいは着物等を良好に掛けることのできるハンガーに関するものである。
【背景技術】
【０００２】
従来、例えば特許文献１に開示されているようなハンガーが存在し、このハンガーは、左右の衣服係止部材の上面部に摺動自在に衣服係止用カバー体を係合して構成されている。
【特許文献１】特開２００２−３３０８５７号公報
【発明の開示】
【発明が解決しようとする課題】
【０００３】
上記従来のような構造のハンガーでは、衣服係止部材に対し衣服係止用カバーが外れ易く、また強度的に弱く、安定して上着，ジャケット等を掛けることが困難となる場合があるという問題点があった。
【課題を解決するための手段】
【０００４】
本発明は上記従来の問題点に鑑み案出したものであって、良好に伸縮させて長さを調整することができて、大きさの異なる上着，ジャケットあるいは着物等を良好に掛止でき、しかも、強度が大なるハンガーを提供することを目的とし、その請求項１は、ハンガーの左右の肩部にはそれぞれ軸方向に挿入穴が形成され、該挿入穴内に挿着されるスライドバーには係止突起が突出されているとともに、前記挿入穴内には、前記スライドバーが挿入穴内で軸方向へ移動可能に前記係止突起が通るガイド溝と、該ガイド溝と連通して軸方向に所定間隔で形成された複数の係合凹部が設けられ、前記スライドバーを回動することで、前記係合凹部に前記係止突起が係脱されるように構成したことである。
【０００５】
また請求項２は、ハンガーの左右の肩部にはそれぞれ軸方向に挿入穴が形成され、該挿入穴内に挿着されるスライドバーには、軸方向のガイド溝と、該ガイド溝と連通して軸方向に所定間隔に設けられた複数の係合凹部が凹設されているとともに、前記挿入穴内には、前記ガイド溝に遊嵌され前記スライドバーを回動することで前記係合凹部に係脱される係止突起が形成されていることである。
【発明の効果】
【０００６】
本発明のハンガーは、ハンガーの左右の肩部にはそれぞれ軸方向に挿入穴が形成され、挿入穴内に挿着されるスライドバーには係止突起が突出されているとともに、挿入穴内には、スライドバーが挿入穴内で軸方向へ移動可能に係止突起が通るガイド溝と、ガイド溝と連通して軸方向に所定間隔で形成された複数の係合凹部が設けられ、スライドバーを回動することで係合凹部に係止突起が係脱されるように構成したことにより、スライドバーに突出されている係止突起を挿入穴に設けられているガイド溝に沿わせて軸方向にスライド移動させることで、スライドバーを良好にハンガーの挿入穴内に長さを調整して挿着することができるものであり、またスライドバーを回動させて、挿入穴内に形成されている係合凹部内にスライドバーの係止突起を係合させ、スライドバーを固定することができ、容易な操作でスライドバーの突出長さを調整することができて、大きさの異なる上着，ジャケットあるいは着物等を最適な肩幅に調整して良好に掛止できるものとなる。
【０００７】
また、ハンガーの左右の肩部にはそれぞれ軸方向に挿入穴が形成され、挿入穴内に挿着されるスライドバーには、軸方向のガイド溝と、ガイド溝と連通して軸方向に所定間隔に設けられた複数の係合凹部が凹設されているとともに、挿入穴内には、ガイド溝に遊嵌されスライドバーを回動することで係合凹部に係脱される係止突起が形成されていることにより、ハンガーの肩部の挿入穴内に形成されている係止突起に対し、スライドバーに形成されているガイド溝を嵌め合わせて、ガイド溝に沿って挿入穴内に良好にスライドバーを挿入させて、スライドバーの突出長さを良好に調整することができ、適宜スライドバーを回動させることで、スライドバーに形成されている係合凹部内に挿入穴内の係止突起が係脱して、良好にスライドバーを固定することができるものとなり、操作が容易で強度が確保され、大きさの異なる上着，ジャケットあるいは着物を最適な肩幅にして良好に掛止できるものとなる。
また、ガイド溝および係合凹部がスライドバー側に形成されているため、製造が容易なものとなる。
【実施例】
【０００８】
以下、本発明の実施例を図面に基づいて説明する。
図１〜図４は第１実施例を示すものであり、図１は、ハンガーの正面構成図であり、図２は、ハンガーを構成するスライドバーの要部拡大斜視図であり、図３は、スライドバーを引き出した状態の断面拡大構成図であり、図４は、スライドバーを収納した状態の断面拡大構成図である。
【０００９】
図において、ハンガー１は、頂部２から左右に下傾して左肩部４と右肩部５が一体形成されており、頂部２には回転可能に吊り下げ金具３が取り付けられている。
なお、左肩部４および右肩部５には、それぞれ図２に示すように、軸方向に沿って挿入穴９が形成されており、この挿入穴９の内周の上部には、上方へ凹み状にガイド溝１０が軸方向に延びて形成され、このガイド溝１０に沿って所定間隔で複数の係合凹部１１，１１，１１が、それぞれガイド溝１０と連通状に形成されている。
【００１０】
また、挿入穴９内に挿着できるスライドバー６は、挿入穴９に対応した断面円形に形成されており、軸方向に間隔をおいて係止突起６ａ，６ａが一体状に突出されたものとなっている。また、スライドバー６の先端には、手で握ることのできる握り手部７が一体形成されている。
なお、ハンガー１の左肩部４と右肩部５の下端間を連結する底掛止バー８が設けられており、この底掛止バー８にはズボン等を掛けることができるものであり、この底掛止バー８により、左肩部４と右肩部５間の強度が確保されている。
なお、本例ではスライドバー６を挿入穴９内に挿入させて収納した状態では、握り手部７が底掛止バー８とほぼ当接状態となって、全体が三角形状になるように構成されている。
【００１１】
このような構成において、大きさの異なる上着，ジャケットあるいは着物等を右肩部４および左肩部５の上面に掛止させる場合に、適宜スライドバー６を肩部４，５から引き出して、その引き出し長さを適宜調整できるものであり、図４のような収納状態からスライドバー６を僅かに回転させることで、挿入穴９内周の係合凹部１１からスライドバー６の係止突起６ａを離反させて、係合状態を解除することができ、その状態でガイド溝１０に沿って係止突起６ａを軸方向に移動させて、スライドバー６の肩部４あるいは５からの突出長さを適宜調整することができ、長さを調整した後にスライドバー６を反対側に僅かに回転させることにより、スライドバー６の係止突起６ａが挿入穴９の係合凹部１１内に係合し、この状態でスライドバー６は固定状態となり、突出長さが固定されるものであり、突出長さの調整は極めて容易に行うことができ、大きさの異なる上着，ジャケットあるいは着物等を最適な肩幅に調整して良好に掛止することができるものとなり、掛止される上着，ジャケットあるいは着物等が型崩れすることなく、長時間に亘りハンガー１に掛止させておくことができるものである。
【００１２】
なお、係合凹部１１の軸方向のピッチ間隔は、スライドバー６に形成されている係止突起６ａのピッチ間隔と同じであり、係合凹部１１の個数および係止突起６ａの個数は適宜選択されるものであり、挿入穴９側の係合凹部１１は軸方向に複数形成させておき、スライドバー６側の係止突起６ａは１個のみであっても良い。
【００１３】
次に、図５〜図７は第２実施例のハンガーを示すものであり、図５は、ハンガーの正面構成図であり、図６は、スライドバーを抜き取った状態の分解拡大斜視図である。また図７は、スライドバーを挿入穴内に差し込んだ状態の断面拡大構成図である。
【００１４】
本例においては、ハンガー１の左肩部４および右肩部５の挿入穴９の内周に、突出して係止突起４ａが形成されたものであり、逆に、スライドバー６側に、軸方向に沿って凹み状にガイド溝６ｂと、このガイド溝６ｂに連通状に所定間隔で複数の係合凹部６ｃ，６ｃ，６ｃを形成させたものである。
なお、挿入穴９側の係止突起４ａは、挿入穴９の先端側に１個設けておいても、また、軸方向に２以上形成させておいても良い。
本例では、ガイド溝６ｂおよび係合凹部６ｃ，６ｃ，６ｃがスライドバー６側に形成されているため、製作が容易なものとなる。
【００１５】
このような構成において、スライドバー６に形成されているガイド溝６ｂに、係止突起４ａを整合させて、係止突起４ａをガイド溝６ｂ内に遊嵌させた状態で、スライドバー６を挿入穴９内に良好にスライド移動させて差し込み、その突出長さを良好に調整することができ、長さを調整した後にスライドバー６を僅かに回動させることで、何れかの係合凹部６ｃ，６ｃ内に係止突起４ａを嵌合させてスライドバー６を固定することができ、スライドバー６の肩部４または５からの突出長さを容易に調整して固定することができて、大きさの異なる上着，ジャケットあるいは着物等を最適な肩幅に調整して良好に掛止できるものである。
なお、本例においては、左肩部４および右肩部５およびスライドバー６は円形断面に形成されているが、その他の多角形断面に形成しても良い。
【図面の簡単な説明】
【００１６】
【図１】第１実施例のハンガーの正面構成図である。
【図２】スライドバーの要部拡大斜視図である。
【図３】スライドバーを引き出した状態の係止状態を示す縦断面拡大構成図である。
【図４】スライドバーを収納させた状態の縦断面要部拡大構成図である。
【図５】第２実施例のハンガーの正面構成図である。
【図６】第２実施例のハンガーのスライドバーの拡大斜視構成図である。
【図７】スライドバーの係止状態を示す断面要部拡大構成図である。
【符号の説明】
【００１７】
１  ハンガー
２  頂部
３  吊り下げ金具
４  左肩部
４ａ  係止突起
５  右肩部
６  スライドカバー
６ａ  係止突起
６ｂ  ガイド溝
６ｃ  係合凹部
７  握り手部
８  底掛止バー
９  挿入穴
１０  ガイド溝
１１  係合凹部
【図１】
2006081695.tif 000003
【図２】
2006081695.tif 000004
【図３】
2006081695.tif 000005
【図４】
2006081695.tif 000006
【図５】
2006081695.tif 000007
【図６】
2006081695.tif 000008
【図７】
2006081695.tif 000009